(57)【要約】  冶金炉用のストックハウス装置は、粒状材料用の一連の貯蔵ビン（１２）と、前記一連の貯蔵ビン（１２）と関連する材料供給装置（１４）であり、一連の貯蔵ビン（１２）の上方に配置され、貯蔵ビンの各々を粒状材料で選択的に満たすことができる材料供給装置（１４）と、材料供給装置（１４）に粒状原材料を搬送する原材料供給システム（２２）と、を備える。それぞれの計量ホッパー（３２）が各貯蔵ビン（１２）の下流に配置され、供給ゲート（３４）に関連する出口を含む。計量ホッパーからそれぞれの供給ゲートを介して選択的に排出された材料を回収し搬送する充填材料搬送システム（３０）が設けられている。前記材料供給装置（１４）は、所望の粒度分布を有する材料のみが各ビンに送られるよう、前記原材料供給システムから到着する粒状原材料をスクリーニング（ふるい分け）するように構成されている。【選択図】図１
2019505661.tif 000002
【特許請求の範囲】
【請求項１】
冶金炉用のストックハウス装置であって、
粒状材料用の一連の貯蔵ビン（１２）と、
前記一連の貯蔵ビン（１２）と関連する材料供給装置（１４）であり、前記一連の貯蔵ビン（１２）の上方に配置され、前記貯蔵ビン（１２）の各々を粒状材料で選択的に満たすことができる材料供給装置（１４）と、
前記材料供給装置（１４）に粒状原材料を搬送する原材料供給システム（２２）と、
各貯蔵ビン（１２）の下流に配置されている共に、供給ゲート（３４）と関連した出口を備えてなる、それぞれの計量ホッパー（３２）と、
前記計量ホッパーから当該計量ホッパーのそれぞれの供給ゲートを介して選択的に排出される材料を回収し搬送する充填材料搬送システム（３０）と、
を備えた冶金炉用のストックハウス装置において、
所望の粒度分布を有する材料のみがそれぞれの貯蔵ビンに送られるよう、前記原材料供給装置（１４）は、前記原材料供給システムから到着する粒状原材料をスクリーニング（ふるい分け）するように構成されている、ことを特徴とするストックハウス装置。
【請求項２】
所望のサイズの材料を各ビン（１２）に送る前に前記材料供給装置（１４）によってスクリーニングされ除かれる小ぶりの材料を回収するべく、前記材料供給装置（１４）に関連する微粉回収ビン（４８）を備える、請求項１に記載のストックハウス装置。
【請求項３】
前記材料供給装置（１４）が、前記原材料供給システム（２２）から粒状材料を受け取るスクリーンユニット（４０）を含んでおり、
前記スクリーンユニットは、所定のメッシュサイズを有する１つ以上のスクリーンを含むと共に、小ぶりの粒状材料を濾別し、大ぶりの所望の材料をそれぞれの貯蔵ビンに送るように構成されている、請求項１または２に記載のストックハウス装置。
【請求項４】
前記スクリーンユニットが、前記１つ以上のスクリーンに関連するバイブレータを含む、請求項３に記載のストックハウス装置。
【請求項５】
前記材料供給装置（１４）が、前記一連のビン（１２）のほぼ中心に、前記微粉回収ビン（４８）を伴って配置されている、請求項２、３または４に記載のストックハウス装置。
【請求項６】
前記材料供給装置（１４）が、前記一連の貯蔵ビン（１２）の上方に配置された回転可能なプラットホーム（３８）を含み、前記スクリーンユニット（４０）はその回転可能なプラットホーム（３８）に支持されている、請求項３、４または５に記載のストックハウス装置。
【請求項７】
前記スクリーンユニット（４０）の下方から落下する微粉を回収するために、前記微粉回収ビン（４８）が前記回転可能なプラットホーム（３８）の下方に配置されている、請求項６に記載のストックハウス装置。
【請求項８】
前記材料供給装置（１０２）が、前記スクリーンユニット（４０；１０６）から各ビン（１２；１００．１）に所望の粒度分布を有する材料を搬送するように構成された、そして好ましくは、小ぶりの材料を前記微粉回収ビンに搬送するよう構成された中間コンベア手段を備えてなる、請求項３から７のいずれか一項に記載のストックハウス装置。
【請求項９】
前記材料供給装置（１０２）は、前記スクリーニングユニットから所望の粒度分布を有する材料を受け取るところの移動可能な双方向コンベアベルト（１０８）を含み、
前記移動可能な双方向コンベアベルト（１０８）は、前記貯蔵ビン（１００）の上方に配置されており、
前記移動可能な双方向コンベアベルト（１０８）は、その端部をそれぞれの貯蔵ビンと一列に並べ、そこで材料を供給できるように構成されると共に、前記貯蔵ビンの列に沿って移動させることができるように構成されている、請求項８に記載のストックハウス装置。
【請求項１０】
前記各貯蔵ビン（１２）は、材料の自由落下を防止するように構成された内部貯蔵領域を有する、請求項１〜９のいずれか一項に記載のストックハウス装置。
【請求項１１】
前記各貯蔵ビン（１２）は、当該ビンの上部領域から下部領域への材料のため経路を形成する１つ以上の材料ガイド要素を備えており、その経路は材料の落下速度を抑えるべく設計されている、請求項１〜１０のいずれか一項に記載のストックハウス装置。
【請求項１２】
前記材料ガイド要素は、垂直の、若しくは傾斜したシュート、ハシゴ、または階段、特に垂直ロックラダー（５２）を備えてもよい、請求項１１に記載のストックハウス装置。
【請求項１３】
前記計量ホッパー（３２）は、当該計量ホッパー内での材料の劣化を回避し、材料の偏析を制御するための分流棒を含む、請求項１〜１２のいずれか一項に記載のストックハウス装置。
【請求項１４】
前記各貯蔵ビン（１２）が、材料ゲート（２０）と関連する出口（１８）を有する、
請求項１〜１３のいずれか一項に記載のストックハウス装置。
【請求項１５】
前記微粉回収ビン（４８）が、微粉コンベア（５０）上に開口した出口（４９）を有する、請求項７に記載のストックハウス装置。
【請求項１６】
請求項１〜１５のいずれか一項に記載のストックハウス装置（１０）を具備してなる溶鉱炉用プラント。
【発明の詳細な説明】
【技術分野】
【０００１】
本発明は一般に、製鉄設備の分野に関し、より詳細には、冶金炉用のストックハウス装置、特に、溶鉱炉用のストックハウス装置に関する。
【背景技術】
【０００２】
周知の通り、溶鉱炉装入システムは、ストックハウスシステムと上部装入設備の２つの主な領域から成る。このストックハウスシステムの役割は、原材料を調合、計量し、バッチ処理を行い、溶鉱炉の上部に設置されている上部装入設備に送ることである。次いで、この上部装入設備が、溶鉱炉用の原材料を炉頂部に送り、これらの材料を炉内に分配する役割を果たす。
【０００３】
このストックハウスは、通常、コンベアベルトを備える供給システムによって供給される一連の貯蔵ビンを備える。フィーダとスクリーンを振動させることにより（場合によってはベルトコンベアを介して）、原材料を貯蔵ビンから引き出し、計量ホッパーに送る。次いで、この計量ホッパーによって材料メインコンベアに載せられる。この計量ホッパーは、所望の順序で原材料を計量し、計量された原材料をメインコンベアベルトに載せ、炉の上部まで送るようにプログラムされている。この計量ホッパーでは、微粉も取り除かれる。
【０００４】
例えば、特許文献１（ＷＯ２０１０／０８６３７９）の図１では、従来のストックハウスが参照番号１０で示される。
【０００５】
ストックハウスを自動化することにより、生産能力が大幅に増え、作業効率が向上し、人員や設備に起因する作業のばらつきがなくなってきた。実際には、最新の自動化されたストックハウスは、かなり複雑になり得る。このストックハウス自体が、コンベアによって供給されてもよく、次いで、ストックハウスが材料を移動コンベアに載せ種々のビンに分配する。ストックハウス内のコンベアと設備のレイアウトは、様々な方法で構成可能である。
【０００６】
溶鉱炉のオペレータが注意をはらわなければいけないことは、ストックハウスで行われる材料の分別である。計量ホッパーから排出される材料バッチ内の粒度分布は、一定してはいないが、材料の充填および排出作業中の、ストックハウスの貯蔵ビン内での材料の分別の方法に由来する一定の法則に依存することが判明している。
【先行技術文献】
【特許文献】
【０００７】
【特許文献１】国際公開ＷＯ２０１０／０８６３７９号公報
【発明の概要】
【発明が解決しようとする課題】
【０００８】
本発明の目的は、材料の偏析効果(segregation effect)を抑える冶金炉用のストックハウス装置を提供することである。
【課題を解決するための手段】
【０００９】
上記の目的は、請求項１に記載の装置によって達成することができる。
【００１０】
本発明は、冶金炉用のストックハウスでの材料貯蔵装置に関し、この装置は、
粒状材料用の一連の貯蔵ビンと、
これらの一連の貯蔵ビンの関連する材料供給装置であって、一連の貯蔵ビンの上方に配置され、貯蔵ビンの各々を粒状材料で選択的に満たすことができる材料供給装置と、
材料供給装置に粗粒状材料を搬送する原材料供給システムと、
各貯蔵ビンの下流に配置され、供給ゲートに関連する出口を含むそれぞれの計量ホッパーと、
計量ホッパーから選択的に排出される材料をそれぞれの供給ゲートを介して回収し、搬送するための充填材料搬送システムと、を備える。
【００１１】
本発明によれば、原材料供給システムから到着する未処理の粒状材料をスクリーニング（ふるい分け）して、所望の粒度粒度分布を有する材料のみが各ビンに送られるよう、材料供給装置が構成される。したがって、本発明では、材料をサイズ変更してスクリーニングするストックハウス装置（単にストックハウスとも呼ばれる）が提供され、これにより、従来のストックハウス配置の場合のように、貯蔵ビンの下に振動スクリーンを配置する必要性が低くなる、すなわち軽減される。
【００１２】
この材料供給装置によってスクリーニングされた小ぶりの材料は、好ましくは、材料供給装置に関連する微粉回収ビンに回収される。
【００１３】
一実施形態では、この材料供給装置が、原材料供給システムから粒状材料を受け取るスクリーンユニットを備え、このスクリーンユニットが、所定のメッシュサイズを有する１つ以上のスクリーン（ふるい）を含み、小ぶりのサイズの粒状材料をろ過し、大きなサイズの所望の材料を各貯蔵ビンに送るよう構成される。通常は、バイブレータが１つ以上のスクリーンに関連付けられる。
【００１４】
一般に、この材料供給装置は、所望の粒度分布を有する材料をスクリーンユニットからそれぞれのビンに搬送し、好ましくは、小ぶりのサイズの材料を微粉回収ビンに搬送するよう構成される中間コンベア手段を備えることができる。実際には、この材料供給装置は、有利には、所望の粒度分布を有する材料（即ち、スクリーン装置からの材料）を選択的に、一連のビンのうちの選択されたビンに送ることができる。すなわち、好ましくは、一度に１つの貯蔵ビンに関連する分配機能を実行する。
【００１５】
この材料供給装置は、有利には、一連のビンに対してほぼ中央の位置に、微粉回収ビンと共に設置される。
【００１６】
この材料供給装置は、一連の貯蔵ビンの上に配置される回転可能なプラットホームを含み得、このプラットホームの上にスクリーンユニットが支持される。微粉回収ビンは、好ましくは、回転可能なプラットホームの下に配置され、スクリーンユニットの下方から落下する微粉を回収する。
【００１７】
あるいは、材料供給装置は、スクリーニングユニットから所望の粒度分布を有する材料を受け取る可動双方向コンベアベルトを備えることができる。移動可能な双方向コンベアベルトは、貯蔵ビンの上に配置される。この双方向コンベアベルトは、全てのビンに材料を供給することができるようにするために、その端部を各貯蔵ビンと一列に並べ、その中の材料を送り、貯蔵ビンの列に沿って移動させることができるように構成される。
【００１８】
本発明の材料貯蔵装置の性能を向上させるために、その中への材料の自由落下を避けるよう貯蔵ビンを設計することが有利である。各貯蔵ビンは、例えば、ビンの上部領域から下部領域に材料を誘導する、１つ以上の経路（複数可）を形成する１つ以上の材料ガイド要素を含み、この経路（複数可）が材料の落下速度を低下させるように設計される。そのような材料ガイド要素を使用することにより、既にスクリーニングされた材料の劣化を回避し、このことは、本材料貯蔵装置の最適な動作にとって有益である。この材料ガイド要素は、材料の自由落下を防止する役割を果たすための任意の適切な形態をとり得、それらの形態には、例えば、ビンの頂部領域から、例えば、中間領域に向けて材料を誘導する、シュート、階段、またはハシゴなどが含まれる。
【００１９】
同様に、計量ホッパーも、好ましくは、材料の劣化を避けるように設計され、入ってくる材料を混ぜ、異なる粒子のサイズの分離を回避するように構成され得る。例えば、計量ホッパーは分流棒を含み、この分流棒が各計量ホッパー内に配置され、異なる流路を形成して、空にする段階でのラットホール効果(rat hole effect)を回避する。従来の設備では、このラットホール効果によりメイン充填時の分離が増幅される。
【００２０】
計量ホッパーの充填中に、材料の自由落下が回避され、よって材料の劣化が抑えられ、分離を引き起こす粒子の遠心力が制限される。
【００２１】
これらの手段により、材料の分離および劣化の影響を緩和する相乗効果が提供されることは理解されよう。スクリーニングされたサイズの材料は、貯蔵ビン内から容易に取り出すことができ、貯蔵ビンおよび計量ホッパーは、材料の劣化を避けるように設計される。
【００２２】
したがって、本発明のストックハウスは、材料の粒度分布をより良く制御することができる。これにより、溶鉱炉のオペレータは、（トップ充填装置を介するＢＦの充填分布を制御する能力に加えて）、炉内に入れられた後のバッチの材料の相対的な透過性をより良好に制御することができるようになる。
【００２３】
さらに、本発明により粒子のサイズを小さくし、微粉を生成することによって、ビンや計量ホッパーへの材料の自由落下を避けることにより、ストックハウスの設計がよりコンパクトになり、必要なマシンの数を減らし、バッチ製造にかかる時間を短くし、除塵能力を抑えることができる。
【００２４】
なお、このストックハウス装置を後付けすることも可能である。既存の設備は、本発明のストックハウス装置に適合することへの何らの困難性もなく、変更可能である。
【００２５】
提案されているストックハウスの構成により、振動スクリーンの数を減らし、鋼構造の重量を軽くすることができ、投資コストを大幅に削減することができる。
【００２６】
いくつかの溶鉱炉用ストックハウスに設置されている既存のシステムと比較して、提案されているシステムはより柔軟で適応性があり、メンテナンスを容易にすべく開発されている。
【００２７】
例えば、従来のストックハウス方式（ベルトコンベア−ビン−振動フィーダ−スクリーン−計量ホッパー−ゲート）は、好都合にも（有利には）、このストックハウス設計（スクリーン−ビン−ゲート−計量ホッパー−ゲート）で置換可能である。
【００２８】
本発明の上記の及びその他の実施形態は、添付の従属請求項にも記載されている。
【００２９】
以下、添付図面を参照し、例示することにより本発明の実施の形態を説明する。
【図面の簡単な説明】
【００３０】
【図１】本発明のストックハウスの実施形態の断面図である。
【図２】図１のストックハウスの正面図（立面図）である。
【図３】（ａ）及び（ｂ）は、それぞれ線Ｂ−Ｂおよび線Ａ−Ａに沿っての、図１のストックハウスの２つの断面図を示し、（ｃ）は上面図を示す。
【図４】材料の自由落下を防止するための装置の一実施形態の略図である。
【図５】本発明のストックハウスの別の実施形態の概略図である。
【発明を実施するための形態】
【００３１】
図１〜図３には、冶金炉用の、特に溶鉱炉プラント用の充填材料を貯蔵、測定および準備する本発明のストックハウス装置１０の実施形態が示されている。
【００３２】
このような材料貯蔵装置を有する溶鉱炉の領域は、通常、ストックハウスと呼ばれ、以後、本明細書では、「ストックハウス」、「ストックハウス装置」、「ストックハウスシステム」および「材料貯蔵装置」という用語は同じ意味で使用される。
【００３３】
このストックハウス１０は、関連する材料供給装置１４によって充填されるよう並んで配置される一連の（又は一群の）貯蔵ビン１２を含む。この貯蔵ビン１２は、その下端に向かって集束する一般的なホッパーの形態を有する。この貯蔵ビン１２の容量は大きく、通常、２００ｍ３を超え、３００〜６００ｍ３、さらに５００〜１０００ｍ３の間である。この貯蔵ビン１２は、その頂部をカバー１５によって閉められ、このカバー１５には、供給開口１６が配置されて、この貯蔵ビン１２の下端に狭い出口１８を有する（図３）。この実施形態では、各ビン１２は２つの出口１８を有する。材料抽出ゲート２０は、通常、各出口１８と関連付けられて、各出口１８を閉鎖することができる、あるいは、解放して材料を下に流すことができる。この材料抽出ゲート２０は、例えば、所望の断面の流れ開口を画定するよう協働する一対の円筒形レジスタを含み得るが、別のタイプのゲート部材を使用することも可能である。
【００３４】
この材料供給装置１４は、各貯蔵ビン１２を粒状材料で選択的に満たすことができるよう、ビン１２の上方に配置される。任意の適切な形態に設計可能な原材料供給システム２２によって、原材料（用語「原材料」は、本明細書では、材料供給装置１４でスクリーニングされる前の粒状材料を指す）は、材料供給装置１４に搬送される。なお、この原材料供給システム２２は、材料供給装置１４の上方に原材料を移動させるベルトコンベア２４を備える。ベルトコンベア２４の端部から材料供給装置１４に粒状材料を誘導するガイド装置が設けられており、粒状材料はこのガイド装置内に重力落下する。より具体的には、このガイド装置は、コンベア２４の端部にある回収ボックス２６を備え、コンベア２４から落下する材料を回収し、回転する供給シュート２７に誘導する。
【００３５】
この実施形態では、１つの材料供給装置１４が一対の貯蔵ビン１２に関連付けられる。貯蔵ビン１２の出口１８は、ＢＦ充填材料搬送システムの１つのコンベアライン３０に沿って並べられる（図３ａ参照）。
【００３６】
２つの計量ホッパー３２は、各貯蔵ビン１２の下流に配置され、材料ゲート２０が開いているときに貯蔵ビン１２から粒状材料を受け取って測定する。各計量ホッパー３２は、供給ゲート３４（例えば円筒形レジスタなど）に関連する出口を備える。この供給ゲート３４は、コンベアライン３０の上方にあり、このコンベアライン３０と並んでいるので、開いたとき、測定された量の材料がコンベアライン３０上に載る。
【００３７】
コンベア、ビン、計量ホッパー、およびゲートの一般的な構造は、当業者にとって周知であるので、詳細な説明は行わない。
【００３８】
所望の粒度分布を有する材料だけが各ビン１２に送られるよう、材料供給装置１４は、原材料供給システム２２から到着する未処理の粒状材料をスクリーニングするように構成されていることを理解されたい。
【００３９】
材料供給装置１４は、好ましくは、ビン１２の上方の中央に配置され、例えば、円形形状の回転可能なプラットホーム３８を含み、このプラットホーム３８により振動子付きスクリーンユニット４０が支持される。このプラットホーム３８は、円形のレール（または中心軸）上に回転可能に支持され、電動モータおよび連結ギア（図示せず）によって選択的に回転可能である。使用するときは、スクリーンユニット４０を所望の開口１６と整列させるために、充填すべきビン１２に応じてプラットホームを回転させる。
【００４０】
このスクリーンユニット４０は、入口領域４２を含み、この入口領域４２では、材料がシュート２７の開放端から落下する。このスクリーンユニット４０は、１つ以上のスクリーンを有するスクリーニングデッキを含み、このスクリーニングデッキが、所望の大きさの上下の粒度分布（粒度）を有する材料を分離することができるように選択されたメッシュサイズを有する。
【００４１】
したがって、このスクリーンユニット４０のスクリーン（ふるい）が振動し、以下のサイズに原材料をスクリーニングしサイジングする。
−大ぶりの材料、すなわちスクリーンのメッシュサイズよりも大きな粒子サイズを有する対象材料。
−小ぶりの材料、すなわち、スクリーンメッシュサイズよりも小さな粒子サイズを有し、スクリーニングメッシュを通って落下する材料。
【００４２】
大ぶりの材料は、吐出口４１を介してスクリーンユニット４０からその前方領域に吐出され、選択されるビン１２に向かって送り出される。すなわち、ここでは回転するプラットホーム３８に対してほぼ半径方向に吐出される。このスクリーンユニット４０は、ビン１２の頂部の各供給開口１６と半径方向に並ぶように枢動（旋回駆動）されるので、吐出口４１を通って吐出される材料は、この供給開口１６内に落下する。
【００４３】
小ぶりの材料、すなわち微粉は、スクリーンユニット４０の下に排出される。振動シュート４４は、スクリーンユニット４０のスクリーニングデッキの下に配置され、スクリーンを横断する微粉を受け取る。スクリーンユニット４０で分離された微粉を回収するために、回転プラットホーム３８内の振動シュート４４の位置で開口部４６が設けられ、回転プラットホーム３８の下に回収ビン４８またはシュートが配置される。また、この回収ビン４８は、下方に集束する形状を有し、隣接する貯蔵ビン１２の間に配置される。回収ビン４８内に回収される微細粒状材料は、ビン出口４９を通って補助微粉コンベア５０上に落下する。
【００４４】
このストックハウス装置１０により、スクリーニングされ、サイジングされた粒状材料が貯蔵ビン１２に貯蔵される、改良された設計が提供されることは理解されよう。このアプローチは、原材料が前処理／スクリーニングなしでビンに貯蔵されると共に各ビンの下に振動スクリーンが配置される従来のストックハウス設計とは対照的である。
【００４５】
本発明により、多くの利点を提供される。即ち、
−  ビン１２の中にサイジングされた材料を貯蔵することにより、材料分離の問題を緩和する。
−  ビン毎に１つではなく、一連（一群）のビンに対して１つの振動スクリーンユニット４０しか必要としないため、ストックハウスの構造が簡単になる。
−  貯蔵される材料が測定される準備ができているので、測定も都合よく実行できる。
−  設置場所の上部の一箇所で微粉が排除される。
−  粒状材料の取り扱いが合理化される。
【００４６】
このビン１２の内部貯蔵領域は、有利には、材料の自由落下を防止するように構成される。これは、ビンには、落下速度を遅くし、それらをビンの上部領域から中央部、および／または、下部に導くように設計される粒状材料の誘導経路を提供する内部ガイド要素（すなわち、各ビンの内部）が設けられていることを意味する。参照符号５２で示されるこのようなガイド要素は、例えば、ビンに入るように配置された垂直の、あるいは傾斜したシュート、ハシゴ、または階段の形態をとり得、上部開口からビンに入る材料を、ビンの中央領域の側壁に誘導するようビンの内部に配置される。
【００４７】
好ましくは、ガイド要素は、図４に示すような垂直ロックラダーシュート５２として設計されてもよい。このロックラダー５２は、縦方向開口部と横方向開口部を有するモジュール式パイプであり、これらの開口部により、既に積み重ねられた材料のレベルに応じて材料が排出される。これらのロックラダーは、上部入口開口５４１と底部出口開口５４２を有する垂直管５４を備える。様々な高さに数多くの棚板（またはシェルフ）５６を設置して、一連の「石箱」を形成する。したがって、ロックラダー５２に入る材料の落下速度は、棚板５６の間を前後にカスケード状に移動することによって減速される。横方向の開口５８を各高さに設けて、ビンを層状に供給する。
【００４８】
このロックラダーの設計は、材料の自由落下を防止するための装置の一例に過ぎず、いかなる場合でも、これに限定すると見なさないものとする。当業者であれば、材料の自由落下を防止するその他の種類の装置を考案可能である。
【００４９】
前記計量ホッパー３２はまた、有利には、材料劣化を回避するように設計される。
【００５０】
例えば、分流棒(diverter bars)６０を各計量ホッパー３２の内側に配置して、従来の設備ではメイン充填時の分離を増幅するラットホール効果を回避する異なった流路を形成することができる。計量ホッパー３２の充填中、分流棒は材料の自由落下も回避し、潜在的な材料劣化を抑え、偏析の原因である粒子に対する遠心力を制限する。
【００５１】
図１および図２から分かるように、これら分流棒６０は、計量ホッパー３２の高さの複数のレベルに渡って分布された、正方形、円形、またはその他の形状の断面を有する直線の棒（ストレートバー）であり、２つの連続するレベルの分流棒は互い違いに配置されている。
【００５２】
なお、本実施形態では、一例として一対のビンを用いて説明したが、より多くのビン、具体的には、４つ、あるいは６つのビンを用い、その中央に１つの材料供給装置１４を配置することも可能である。例えば、図３のａ）を参照すると、４つのビンを供給するために材料供給装置１４を設置できることが容易に分かる。
【００５３】
最後に、図５を参照して、このストックハウスの別の実行可能な実施形態を説明する。図では、材料供給装置１０２がビン１００の上にある状態で、参照符号１００．１〜１００．４（あるいは、普通に参照符号１００で）で示される貯蔵ビンのみが示されている。この材料供給装置１０２は、所望の粒度分布を有する材料のみがそれぞれのビン１００に送られるよう、原材料供給システムから到着する未処理の粒状材料をスクリーンニングするように構成されている。実際には、この材料供給装置１０２は、所望の粒度分布を有する材料を一連のビンのうちの選択された１つのビン１００に選択的に誘導することができる。
【００５４】
この原材料供給システムは、前の実施形態（原材料供給システム２２）に示されたものと同様でもよく、矢印１０４は、原材料供給装置１１０への原材料の供給を示す。
【００５５】
また、図示されていないが、先の実施形態と同様に、この貯蔵ビン１００は、その上部が供給開口を有するカバーによって閉じられている。各ビン１００は、その下端部に抽出材料ゲートを有する少なくとも１つの出口を有する。そこから計量ホッパーにより材料が排出され、次いで、コンベアラインに載せられる。
【００５６】
次に、材料供給装置１０２を特に参照すると、バイブレータを有するスクリーンユニット１０６を見ることができる。なお、スクリーンユニット１０６は静止しており、４つの貯蔵ビン１００のセットに対して中央に配置され、移動可能な双方向コンベアベルト１０８と協働して、それぞれのビン１００を充填する。大ぶりの材料、すなわち、スクリーンユニットのメッシュサイズよりも大きな粒子サイズを有する対象材料が可動コンベアベルト１０８上に落下する。
【００５７】
図５に示される位置では、可動コンベアベルト１０８は左側に配置されている。ベルト１０８の端部１０８．１および１０８．２は、ビン１００．１および１００．３の上に配置される。材料を左に向かって搬送するようにベルト１０８を回転させると、ビン１００．１に材料が充填され、逆方向に回転させると材料がビン１００．３に落下する。参照符号１０８’（部分図）によって概略的に示される通り、可動コンベアベルト１０８を代替的に右側に配置することも可能である。この構成では、ベルト１０８の端部１０８．１および１０８．２はビン１００．２および１００．４の上方に位置する。材料を左に向かって搬送するようベルト１０８を回転させることにより、ビン１００．２に材料を充填することができるが、反対方向に回転させると、材料がビン１００．４に落下する。
【００５８】
微粉、すなわち、スクリーンユニット１０６のスクリーンメッシュサイズよりも小さい粒子サイズを有する小ぶりの材料は、そこを通って漏斗１１０に落下し、それによって微粉コンベアベルト１１２上に配送される。この微粉コンベアベルト１１２は、好ましくは、コンベアベルト１０８から横方向にオフセットされ、ビン１００に平行に、あるいは同じ列に配置された微粉用のビンに微粉を運ぶ。
【００５９】
上記の実施形態は、本ストックハウスの例示的な実施形態に過ぎない。当業者であれば、材料をスクリーニングユニットから各ビンに搬送するためのその他の構成の中間コンベアを考案可能である。
【符号の説明】
【００６０】
１０  ストックハウス装置
１２  貯蔵ビン
１４  材料供給装置
１８  貯蔵ビンの出口
２０  材料抽出ゲート
２２  原材料供給システム
３０  コンベアライン（充填材料搬送システム）
３２  計量ホッパー
３４  供給ゲート
３８  プラットホーム
４０  スクリーンユニット
４８  微粉回収ビン
【図１】
2019505661.tif 000003
【図２】
2019505661.tif 000004
【図３ａ）】
2019505661.tif 000005
【図３ｂ）】
2019505661.tif 000006
【図３ｃ）】
2019505661.tif 000007
【図４】
2019505661.tif 000008
【図５】
2019505661.tif 000009
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
冶金炉用のストックハウス装置であって、
粒状材料用の一連の貯蔵ビン（１２）と、
前記一連の貯蔵ビン（１２）と関連する材料供給装置（１４）であり、前記一連の貯蔵ビン（１２）の上方に配置され、前記貯蔵ビン（１２）の各々を粒状材料で選択的に満たすことができる材料供給装置（１４）と、
前記材料供給装置（１４）に粒状原材料を搬送する原材料供給システム（２２）と、
各貯蔵ビン（１２）の下流に配置されている共に、供給ゲート（３４）と関連した出口を備えてなる、それぞれの計量ホッパー（３２）と、
前記計量ホッパーから当該計量ホッパーのそれぞれの供給ゲートを介して選択的に排出される材料を回収し搬送する充填材料搬送システム（３０）と、
を備えた冶金炉用のストックハウス装置において、
所望の粒度分布を有する材料のみがそれぞれの貯蔵ビンに送られるよう、前記原材料供給装置（１４）は、前記原材料供給システムから到着する粒状原材料をスクリーニング（ふるい分け）するように構成されている、ことを特徴とするストックハウス装置。
【請求項２】
所望のサイズの材料を各ビン（１２）に送る前に前記材料供給装置（１４）によってスクリーニングされ除かれる小ぶりの材料を回収するべく、前記材料供給装置（１４）に関連する微粉回収ビン（４８）を備える、請求項１に記載のストックハウス装置。
【請求項３】
前記材料供給装置（１４）が、前記原材料供給システム（２２）から粒状材料を受け取るスクリーンユニット（４０）を含んでおり、
前記スクリーンユニットは、所定のメッシュサイズを有する１つ以上のスクリーンを含むと共に、小ぶりの粒状材料を濾別し、大ぶりの所望の材料をそれぞれの貯蔵ビンに送るように構成されている、請求項１または２に記載のストックハウス装置。
【請求項４】
前記スクリーンユニットが、前記１つ以上のスクリーンに関連するバイブレータを含む、請求項３に記載のストックハウス装置。
【請求項５】
前記材料供給装置（１４）が、前記一連のビン（１２）のほぼ中心に、前記微粉回収ビン（４８）を伴って配置されている、請求項２、３または４に記載のストックハウス装置。
【請求項６】
前記材料供給装置（１４）が、前記一連の貯蔵ビン（１２）の上方に配置された回転可能なプラットホーム（３８）を含み、前記スクリーンユニット（４０）はその回転可能なプラットホーム（３８）に支持されている、請求項３、４または５に記載のストックハウス装置。
【請求項７】
前記スクリーンユニット（４０）の下方から落下する微粉を回収するために、前記微粉回収ビン（４８）が前記回転可能なプラットホーム（３８）の下方に配置されている、請求項６に記載のストックハウス装置。
【請求項８】
前記材料供給装置（１０２）が、前記スクリーンユニット（４０；１０６）から各ビン（１２；１００．１）に所望の粒度分布を有する材料を搬送するように構成された、そして好ましくは、小ぶりの材料を前記微粉回収ビンに搬送するよう構成された中間コンベア手段を備えてなる、請求項３から７のいずれか一項に記載のストックハウス装置。
【請求項９】
前記材料供給装置（１０２）は、前記スクリーニングユニットから所望の粒度分布を有する材料を受け取るところの移動可能な双方向コンベアベルト（１０８）を含み、
前記移動可能な双方向コンベアベルト（１０８）は、前記貯蔵ビン（１００）の上方に配置されており、
前記移動可能な双方向コンベアベルト（１０８）は、その端部をそれぞれの貯蔵ビンと一列に並べ、そこで材料を供給できるように構成されると共に、前記貯蔵ビンの列に沿って移動させることができるように構成されている、請求項８に記載のストックハウス装置。
【請求項１０】
前記各貯蔵ビン（１２）は、材料の自由落下を防止するように構成された内部貯蔵領域を有する、請求項１〜９のいずれか一項に記載のストックハウス装置。
【請求項１１】
前記各貯蔵ビン（１２）は、当該ビンの上部領域から下部領域への材料のため経路を形成する１つ以上の材料ガイド要素を備えており、その経路は材料の落下速度を抑えるべく設計されている、請求項１〜１０のいずれか一項に記載のストックハウス装置。
【請求項１２】
前記材料ガイド要素は、垂直の、若しくは傾斜したシュート、ハシゴ、または階段、特に垂直ロックラダー（５２）を備えてもよい、請求項１１に記載のストックハウス装置。
【請求項１３】
前記計量ホッパー（３２）は、当該計量ホッパー内での材料の劣化を回避し、材料の偏析を制御するための分流棒を含む、請求項１〜１２のいずれか一項に記載のストックハウス装置。
【請求項１４】
前記各貯蔵ビン（１２）が、材料ゲート（２０）と関連する出口（１８）を有する、
請求項１〜１３のいずれか一項に記載のストックハウス装置。
【請求項１５】
前記微粉回収ビン（４８）が、微粉コンベア（５０）上に開口した出口（４９）を有する、請求項７に記載のストックハウス装置。
【請求項１６】
請求項１〜１５のいずれか一項に記載のストックハウス装置（１０）を具備してなる溶鉱炉用プラントであって、
前記ストックハウス装置の前記充填材料搬送システム（３０）が、当該溶鉱炉の上方に配置された上部装入設備と協働する、溶鉱炉用プラント。
【国際調査報告】
2019505661.tif 000010
2019505661.tif 000011